【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
ネットワークにおいて通信する方法であって、
第２のノードにより複数のチャネル各々において複数の第１のノードの各々から通信を受信するステップと、
前記複数の第１のノードの各々から正常に受信された各通信に対する応答を含む送信を前記第２のノードにより送出するステップと
を含み、
前記複数の第１のノードの各々に対する前記応答は、前記第２のノードにより送出される単一メッセージの一部であり、
前記単一メッセージ内の前記応答の少なくとも１つは、前記ネットワークにおける前記第１のノードの動作の設定を変更するために、前記第１のノードの少なくとも１つにより使用可能な情報を含み、
前記第１のノードは、少なくとも２つのグループに分割され、
第１のグループにおいて前記第２のノードに隣接する第１のノードは、前記第２のノードと直接通信し、
第２のグループにおいて前記第２のノードに隣接する第１のノードは、他の第１のノードと通信し、
前記第１のグループが前記第２のノードとの通信を完了すると、前記第２のグループにおいて前記第２のノードに隣接する第１のノードは、前記第２のノードと直接通信し、前記第１のグループにおいて前記第２のノードに隣接する第１のノードは、他の第１のノードと通信する
ことを特徴とする方法。
【請求項２】
前記複数の第１のノードの各々から前記第２のノードへの前記通信は、送信元及び送信先の識別ヘッダを有するデータパケットを含む
ことを特徴とする請求項１記載の方法。
【請求項３】
前記第２のノードから前記複数の第１のノードへの各応答は、肯定応答を含む
ことを特徴とする請求項１記載の方法。
【請求項４】
前記第２のノードにより送出される前記メッセージは、前記第２のノードにより正常に受信された前記複数の第１のノードの各々の通信にそれぞれ対応する識別子を含む
ことを特徴とする請求項１記載の方法。
【請求項５】
各識別子は、８バイトＭＡＣアドレスを含む
ことを特徴とする請求項４記載の方法。
【請求項６】
各識別子は、８バイトＭＡＣアドレスよりも短いアドレスを含む
ことを特徴とする請求項４記載の方法。
【請求項７】
前記識別子は、前記第１のノードからの前記通信が受信された順番に基づく順番で前記メッセージ内に配列される
ことを特徴とする請求項４記載の方法。
【請求項８】
前記識別子は、各識別子の数値に基づく順番で前記メッセージ内に配列される
ことを特徴とする請求項４記載の方法。
【請求項９】
前記識別子は、前記複数の第１のノードの各々からの前記通信に関連付けられる内容に基づく優先順位に従って前記メッセージ内に配列される
ことを特徴とする請求項４記載の方法。
【請求項１０】
前記識別子は、前記複数の第１のノードの各々からの前記通信の送出元に基づく優先順位に従って前記メッセージ内に配列される
ことを特徴とする請求項４記載の方法。
【請求項１１】
前記第２のノードから前記複数の第１のノードへの各応答は、
正常に受信されたパケットを送出した前記複数の第１のノードの各々に対応するＭＡＣアドレスよりも短い事前割り当てアドレスに基づいて前記送信において順番付けられる
ことを特徴とする請求項１記載の方法。
【請求項１２】
前記事前割り当てアドレスは、
正常に受信されたパケットを送出した前記複数の第１のノードの各々に対応する前記ＭＡＣアドレスの所定のバイトである
ことを特徴とする請求項１１記載の方法。
【請求項１３】
前記事前割り当てアドレスは、
正常に受信されたパケットを送出した前記複数の第１のノードの各々に対応する前記ＭＡＣアドレスのハッシュである
ことを特徴とする請求項１１記載の方法。
【請求項１４】
前記第２のノードから前記複数の第１のノードへの各応答は、
受信パケットに関連付けられる優先順位に基づいて前記送信において順番付けられる
ことを特徴とする請求項１記載の方法。
【請求項１５】
前記第２のノードから前記複数の第１のノードへの各応答は、
前記受信パケットの内容に関連付けられる優先順位に基づいて前記送信において順番付けられる
ことを特徴とする請求項１４記載の方法。
【請求項１６】
前記第２のノードから前記複数の第１のノードへの各応答は、
前記受信パケットが受信された前記ノードに関連付けられる優先順位に基づいて前記送信において順番付けられる
ことを特徴とする請求項１４記載の方法。
【請求項１７】
前記第２のノードから前記複数の第１のノードへの各応答は、
前記ネットワークにおける周波数ホッピングパターンに関する情報に基づいて前記送信において順番付けられる
ことを特徴とする請求項１記載の方法。
【請求項１８】
前記通信は、前記第１のノードの少なくとも１つにより送出された要求を含み、
前記応答は、別のノードに前記要求を送出するように前記少なくとも１つの第１のノードに命令するコマンドを含む
ことを特徴とする請求項１記載の方法。
【請求項１９】
前記応答は、種類−長さ−値（ＴＬＶ）形式でデータパケットに含まれる
ことを特徴とする請求項１記載の方法。
【請求項２０】
前記コマンドは、種類−長さ−値（ＴＬＶ）形式でデータパケットに含まれる
ことを特徴とする請求項１８記載の方法。
【請求項２１】
前記要求は、ノードの実行可能なコードイメージの更新に対するものである
ことを特徴とする請求項１８記載の方法。
【請求項２２】
前記要求は、ノードルーティングテーブル情報に対するものである
ことを特徴とする請求項１８記載の方法。
【請求項２３】
前記要求は、セキュリティ警告情報に対するものである
ことを特徴とする請求項１８記載の方法。
【請求項２４】
前記要求は、タイミング情報に対するものである
ことを特徴とする請求項１８記載の方法。
【請求項２５】
前記複数の第１のノードの各々による前記通信の送出及び前記第２のノードによる前記送信の送出は、所定のタイムスロットの間に行われる
ことを特徴とする請求項１記載の方法。
【請求項２６】
前記複数の第１のノードの各々による前記通信の送出は、前記所定のタイムスロットの第１の部分の間に行われる
ことを特徴とする請求項２５記載の方法。
【請求項２７】
少なくともいくつかの通信の時間的重複が前記複数の第１のノードの各々による複数のチャネルにおける前記送出の間に存在する
ことを特徴とする請求項２５記載の方法。
【請求項２８】
前記第２のノードによる前記送信の送出は、前記所定のタイムスロットの第２の部分の間に行われる
ことを特徴とする請求項２６記載の方法。
【請求項２９】
前記所定のタイムスロットに関する情報は、ビーコンパケットで前記第１のノードに送出される
ことを特徴とする請求項２５記載の方法。
【請求項３０】
前記ビーコンパケットは、タイミング同期情報、タイミングシーケンス情報及びチャネル情報の少なくとも１つを含む
ことを特徴とする請求項２９記載の方法。
【請求項３１】
ネットワークにおいて通信する方法であって、
第１のノードにより所定の時間に所定のチャネルを監視するステップと、
データが前記所定の時間に前記所定のチャネルにおいて受信されたかを前記第１のノードにより判定するステップと、
データが受信された場合に単一チャネル受信側ノード又はマルチチャネル受信側ノードに受信データを転送するかを前記第１のノードにより判定するステップと、
前記データが前記マルチチャネル受信側ノードに送出されると判定された場合に前記第１のノードにより前記マルチチャネル受信側ノードに前記受信データを送信するステップと、
前記データが前記マルチチャネル受信側ノードへ送信されると、前記第１のノードにより所定の応答チャネルを監視するステップと、
前記所定の応答チャネルを監視することにより、前記第１のノードが前記マルチチャネル受信側ノードにより送信された送信データに対する応答を受信したかを前記第１のノードにより判定するステップと、
前記第１のノードが前記マルチチャネル受信側ノードから応答を受信していないと判定された場合、前記第１のノードにより前記マルチチャネル受信側ノードへ前記データを再送信するステップと
を含み、
前記第１のノードは、少なくとも２つのグループに分割される複数の第１のノードの１つであり、
第１のグループにおいて前記マルチチャネル受信側ノードに隣接する第１のノードは、前記マルチチャネル受信側ノードと直接通信し、
第２のグループにおいて前記マルチチャネル受信側ノードに隣接する第１のノードは、他の第１のノードと通信し、
前記第１のグループが前記マルチチャネル受信側ノードとの通信を完了すると、前記第２のグループにおいて前記マルチチャネル受信側ノードに隣接する第１のノードは、前記マルチチャネル受信側ノードと直接通信し、前記第１のグループにおいて前記マルチチャネル受信側ノードに隣接する第１のノードは、他の第１のノードと通信する
ことを特徴とする方法。
【請求項３２】
前記所定のチャネル、前記所定の時間及び前記所定の応答チャネルの少なくとも１つは、ビーコンパケットにより前記第１のノードに提供される
ことを特徴とする請求項３１記載の方法。
【請求項３３】
前記情報は、ネットワークタイミング情報を含む
ことを特徴とする請求項１記載の方法。
【請求項３４】
前記情報は、ネットワークプロトコルのレイヤ２／レイヤ３の少なくともいずれかにおける、前記少なくとも１つの第１のノードの動作に関する少なくとも１つの変数を含む
ことを特徴とする請求項１記載の方法。
【請求項３５】
前記情報は、前記少なくとも１つの第１のノードに対するコマンドを含み、
前記コマンドは、該コマンドにより示される特定の動作を実行するように前記少なくとも１つの第１のノードに命令する
ことを特徴とする請求項１記載の方法。
【請求項３６】
前記特定の動作は、前記少なくとも１つの第１のノードに前記第２のノード以外の異なるノードへ前記通信を再送出させる動作である
ことを特徴とする請求項３５記載の方法。
【請求項３７】
前記情報は、前記単一メッセージの応答内の種類−長さ−値（ＴＬＶ）要素の少なくとも１つの中に符号化されている
ことを特徴とする請求項３２記載の方法。
【請求項３８】
前記ＴＬＶ要素の各々は、それぞれの前記第１のノードのうちの１つに対応する
ことを特徴とする請求項３７記載の方法。
【請求項３９】
ＴＬＶ要素の各々の種類フィールドは、当該ＴＬＶ要素が対応するそれぞれの前記第１のノードのうちの１つを示す
ことを特徴とする請求項３８記載の方法。
【請求項４０】
ネットワークにおいて通信する方法であって、
第２のノードにより複数のチャネル各々において複数の第１のノードの各々から通信を受信するステップと、
前記複数の第１のノードの各々から正常に受信された各通信に対する応答を含む送信を前記第２のノードにより送出するステップと
を含み、
前記複数の第１のノードの各々に対する前記応答は、前記第２のノードにより送出される単一メッセージの一部であり、
前記単一メッセージ内の前記応答の順番は、
前記複数の第１のノード各々から前記第２のノードにより受信された前記通信に関連付けられる優先順位に対応しており、
前記第１のノードは、少なくとも２つのグループに分割され、
第１のグループにおいて前記第２のノードに隣接する第１のノードは、前記第２のノードと直接通信し、
第２のグループにおいて前記第２のノードに隣接する第１のノードは、他の第１のノードと通信し、
前記第１のグループが前記第２のノードとの通信を完了すると、前記第２のグループにおいて前記第２のノードに隣接する第１のノードは、前記第２のノードと直接通信し、前記第１のグループにおいて前記第２のノードに隣接する第１のノードは、他の第１のノードと通信する
ことを特徴とする方法。